(57)【要約】      （修正有）【課題】対象機器に関する３以上の表示項目に関する数値データを同時にグラフ表示可能な、視認性及び操作性に優れたメンテナンス用モニタ装置を提供する。【解決手段】表示項目のリストをモニタ画面１０に表示可能なリスト表示手段２と、３以上の表示項目にかかる数値データを、一軸が時間軸からなるグラフ軸に合わせてグラフ表示可能な数値データ表示手段３と、モニタ画面に表示されるカーソルの位置情報を算出可能な位置情報算出手段７と、位置情報算出手段で算出されたカーソルの位置情報に基づいて、カーソルが指し示す表示項目を認識可能な表示項目認識手段６と、表示項目認識手段で認識された表示項目に対応する１つの目盛軸だけを、グラフ軸の他軸に表示可能な他軸表示手段５と、を備えた。【選択図】図１
2014096009.tif 000002
【特許請求の範囲】
【請求項１】
メンテナンス対象機器に関する３以上の表示項目にかかる数値データを、モニタ画面に同時にグラフ表示可能なメンテナンス用モニタ装置であって、
前記表示項目のリストを前記モニタ画面に表示可能なリスト表示手段と、
前記モニタ画面に、前記３以上の表示項目にかかる数値データを、一軸が時間軸からなるグラフ軸に合わせてグラフ表示可能な数値データ表示手段と、
前記モニタ画面に表示されるカーソルの位置情報を算出可能な位置情報算出手段と、
前記位置情報算出手段で算出された前記カーソルの位置情報に基づいて、前記カーソルが指し示す表示項目を認識可能な表示項目認識手段と、
前記表示項目認識手段で認識された前記表示項目に対応する１つの目盛軸だけを、前記グラフ軸の他軸に表示可能な他軸表示手段と、を備えたことを特徴とするメンテナンス用モニタ装置。
【請求項２】
前記表示項目認識手段は、前記モニタ画面に表示される前記表示項目のリストの中から、前記カーソルが指し示す表示項目を認識するように構成されていることを特徴とする請求項１に記載のメンテナンス用モニタ装置。
【請求項３】
前記表示項目認識手段は、前記モニタ画面にグラフ表示される前記３以上の表示項目に対応するグラフ線の中から、前記カーソルが指し示すグラフ線に対応する表示項目を、前記カーソルが指し示す表示項目として認識するように構成されていることを特徴とする請求項１または２に記載のメンテナンス用モニタ装置。
【請求項４】
前記表示項目のリストの中から、３以上の表示項目を任意に選択可能な表示項目選択手段を備え、
前記数値データ表示手段は、前記表示項目選択手段で選択された選択表示項目にかかる数値データだけをグラフ表示するように構成され、前記表示項目認識手段は、前記表示項目選択手段で選択された選択表示項目だけを認識するように構成されていることを特徴とする請求項１から３のいずれか１項に記載のメンテナンス用モニタ装置。
【請求項５】
前記数値データ表示手段は、前記表示項目認識手段で認識された前記表示項目にかかる数値データを、他の数値データとは異なるグラフ線でグラフ表示可能に構成されていることを特徴とする請求項１から４のいずれか１項に記載のメンテナンス用モニタ装置。
【請求項６】
前記他軸表示手段は、前記表示項目認識手段で認識される前記表示項目に関わらず、前記目盛軸の目盛幅を一定とするように構成されていることを特徴とする請求項１から５のいずれか１項に記載のメンテナンス用モニタ装置。
【請求項７】
前記メンテナンス対象機器は、産業車両に搭載されたディーゼルエンジンからなることを特徴とする請求項１から６のいずれか１項に記載のメンテナンス用モニタ装置。
【請求項８】
メンテナンス対象機器に関する３以上の表示項目にかかる数値データを、モニタ画面に同時にグラフ表示させるプログラムであって、
前記表示項目のリストを前記モニタ画面に表示するリスト表示処理と、
前記モニタ画面に、前記３以上の表示項目にかかる数値データを、一軸が時間軸からなるグラフ軸に合わせてグラフ表示する数値データ表示処理と、
前記モニタ画面に表示されるカーソルの位置情報を算出する位置情報算出処理と、
前記位置情報算出処理で算出された前記カーソルの位置情報に基づいて、前記カーソルが指し示す表示項目を認識する表示項目認識処理と、
前記表示項目認識処理で認識された前記表示項目に対応する１つの目盛軸だけを、前記グラフ軸の他軸に表示する他軸表示処理と、をコンピュータに実行させることを特徴とするプログラム。
【請求項９】
請求項８に記載のプログラムを格納したコンピュータが読み取り可能な記録媒体。
【発明の詳細な説明】
【技術分野】
【０００１】
本開示は、３以上の表示項目に関する数値データを同時にグラフ表示可能なメンテナンス用モニタ装置並びにそのプログラム及び記録媒体に関し、特に好ましくは、産業用車両に搭載されるディーゼルエンジンの保守点検時に用いられるメンテナンス用モニタ装置並びにそのプログラム及び記録媒体に関する。
【背景技術】
【０００２】
例えばディーゼルエンジンなどの各種の機器類の保守点検時には、機器の作動状態を表す測定値等をモニタ画面にリアルタイムで表示するメンテナンス用モニタ装置を使用し、機器の作動状態をリアルタイムで監視することが行われる。
【０００３】
図５は、従来のモニタ装置によって表示されるモニタ画面を示した図である。
この従来のモニタ画面１００には、Ｘ軸が時間軸からなるグラフが表示されている。そして、グラフには、例えば、エンジン回転数ａ、アクセル開度ｂ、冷却水温ｃ、ブースト圧力ｄ、吸気温度ｅ、レール圧ｆ、総燃料噴射量ｇなどの複数の表示項目にかかる数値データがグラフ軸に合わせて表示されている。
【０００４】
また、図５に示したように、グラフのＹ軸には、上述した複数の表示項目ａ〜ｇに対応する目盛軸、名称、単位がそれぞれ表示されている。
【先行技術文献】
【特許文献】
【０００５】
【特許文献１】特開２００８−２０９５１１号公報
【発明の概要】
【発明が解決しようとする課題】
【０００６】
しかしながら、上述した従来のモニタ装置は、Ｙ軸に複数の表示項目に対応する目盛軸、名称、単位が林立して表示されており、各数値データに対応する目盛軸を瞬時に見分けることが難しいことから、視認性に劣るとの問題があった。
【０００７】
また、グラフ上に複数の目盛軸が表示されることにより、その分だけ時間軸が短くなり、グラフの表示領域が狭くなることから、視認性に劣るとの問題があった。
【０００８】
また近年、排ガス規制の強化等を背景として、ディーゼルエンジンに各種の排ガス浄化装置が設置されている。排ガス浄化装置が設置されたディーゼルエンジンの保守点検では、エンジンに関する表示項目に加え、排ガス浄化装置に関する表示項目についても監視する必要がある。このため、表示すべき表示項目が大幅に増加し、上述した従来のモニタ装置では、ますます視認性が低下するとの問題がある。
【０００９】
また特に、ディーゼルエンジンの保守点検時には、例えばエンジン回転数とアクセル開度、エンジン回転数と総燃料噴射量と言ったように、２以上の表示項目を同時に視認したり、表示項目を頻繁に切り替えたりすることが行われる。したがって、そのモニタ装置には、上述した視認性とともに、グラフ表示を変更する際の操作性も要求される。
【００１０】
特許文献１には、複数の表示項目をグラフ化する際に、グラフのスケールを変更できる表示スケール変更システムが開示されている。しかしながら、この特許文献１のスケール変更システムでは、頻繁なマウスのクリック操作やドラッグ操作等が要求され、操作に熟練を要するものであった。
【００１１】
本発明の少なくとも一つの実施形態は、上述したように従来技術の問題に鑑みなされたものであり、その目的とするところは、３以上の表示項目に関する数値データを同時にグラフ表示可能な、視認性及び操作性に優れたメンテナンス用モニタ装置を提供することにある。
【課題を解決するための手段】
【００１２】
上述した目的を達成するために、本発明のメンテナンス用モニタ装置の少なくとも一つの実施形態は、
メンテナンス対象機器に関する３以上の表示項目にかかる数値データを、モニタ画面に同時にグラフ表示可能なメンテナンス用モニタ装置であって、
前記表示項目のリストを前記モニタ画面に表示可能なリスト表示手段と、
前記モニタ画面に、前記３以上の表示項目にかかる数値データを、一軸が時間軸からなるグラフ軸に合わせてグラフ表示可能な数値データ表示手段と、
前記モニタ画面に表示されるカーソルの位置情報を算出可能な位置情報算出手段と、
前記位置情報算出手段で算出された前記カーソルの位置情報に基づいて、前記カーソルが指し示す表示項目を認識可能な表示項目認識手段と、
前記表示項目認識手段で認識された前記表示項目に対応する１つの目盛軸だけを、前記グラフ軸の他軸に表示可能な他軸表示手段と、を備えている。
【００１３】
このようなメンテナンス用モニタ装置によれば、グラフ軸の他軸に１つの目盛軸だけを表示するため、グラフの視認性に優れている。また、カーソルの位置情報に基づいて、カーソルが指し示す表示項目を認識するため、カーソルの位置をモニタ画面に表示されている表示項目やグラフ線などに重ねるだけの簡単な操作で、対応する１つの目盛軸を表示することが出来、操作性にも優れる。
【００１４】
また、本発明の一実施形態では、
前記表示項目認識手段は、前記モニタ画面に表示される前記表示項目のリストの中から、前記カーソルが指し示す表示項目を認識するように構成されている。
【００１５】
このような構成によれば、カーソル位置をモニタ画面に表示されている任意の表示項目に重ねるだけの簡単な操作で、表示項目に対応する１つの目盛軸を表示可能である。
【００１６】
また、本発明の一実施形態では、
前記表示項目認識手段は、前記モニタ画面にグラフ表示される前記３以上の表示項目に対応するグラフ線の中から、前記カーソルが指し示すグラフ線に対応する表示項目を、前記カーソルが指し示す表示項目として認識するように構成されている。
【００１７】
このような構成によれば、カーソル位置をモニタ画面にグラフ表示されている任意のグラフ線に重ねるだけの簡単な操作で、表示項目に対応する１つの目盛軸を表示可能である。
【００１８】
また、本発明の一実施形態は、
前記表示項目のリストの中から、３以上の表示項目を任意に選択可能な表示項目選択手段を備え、
前記数値データ表示手段は、前記表示項目選択手段で選択された選択表示項目にかかる数値データだけをグラフ表示するように構成され、前記表示項目認識手段は、前記表示項目選択手段で選択された選択表示項目だけを認識するように構成されている。
【００１９】
このような構成によれば、モニタ画面に表示される表示項目のリストの中から、グラフ化したい表示項目だけを選択可能なため、視認性に優れるメンテナンス用モニタ装置とすることが出来る。また、表示項目認識手段が、表示項目選択手段によって選択された表示項目だけを認識するように構成することで、マウス操作の誤りによって他軸に意図しない目盛軸が表示されてしまう頻度を減らすことが出来、操作性が向上する。
【００２０】
また、本発明の一実施形態では、
前記数値データ表示手段は、前記表示項目認識手段で認識された前記表示項目にかかる数値データを、他の数値データとは異なるグラフ線でグラフ表示可能に構成されている。
【００２１】
このような構成によれば、目盛軸に対応する数値データだけを、他の数値データとは異なるグラフ線（線の種類、線の太さ、線の色など）で目立つようにグラフ表示することで、グラフの視認性を向上させることが出来る。
【００２２】
また、本発明の一実施形態では、
前記他軸表示手段は、前記表示項目認識手段で認識される前記表示項目に関わらず、前記目盛軸の表示幅を一定とするように構成されている。
【００２３】
このような構成によれば、他軸に表示する目盛軸を切り替えた際も、目盛軸の目盛幅は一定に保たれるため、目盛軸を切り替える時のグラフの視認性を向上させることが出来る。
【００２４】
また、本発明の一実施形態では、
前記メンテナンス対象機器は、産業車両に搭載されたディーゼルエンジンからなる。
【００２５】
上述したメンテナンス用モニタ装置は、表示項目が多く、且つ保守点検時に３以上の表示項目を同時に視認したり、表示項目を頻繁に切り替えたりすることが行われる、例えばフォークリフトなどの産業用車両に搭載されるディーゼルエンジンのメンテナンス用モニタ装置として、特に好適に用いられる。
【００２６】
また、本発明のプログラムの少なくとも一つの実施形態は、
メンテナンス対象機器に関する３以上の表示項目にかかる数値データを、モニタ画面に同時にグラフ表示させるプログラムであって、
前記表示項目のリストを前記モニタ画面に表示するリスト表示処理と、
前記モニタ画面に、前記３以上の表示項目にかかる数値データを、一軸が時間軸からなるグラフ軸に合わせてグラフ表示する数値データ表示処理と、
前記モニタ画面に表示されるカーソルの位置情報を算出する位置情報算出処理と、
前記位置情報算出処理で算出された前記カーソルの位置情報に基づいて、前記カーソルが指し示す表示項目を認識する表示項目認識処理と、
前記表示項目認識処理で認識された前記表示項目に対応する１つの目盛軸だけを、前記グラフ軸の他軸に表示する他軸表示処理と、をコンピュータに実行させることを特徴とする。
【００２７】
このようなプログラムによれば、グラフ軸の他軸に１つの目盛軸だけを表示するため、グラフの視認性に優れている。また、カーソルの位置情報に基づいて、カーソルが指し示す表示項目を認識するため、カーソルの位置をモニタ画面に表示されている表示項目やグラフ線などに重ねるだけの簡単な操作で、対応する１つの目盛軸を表示することが出来、操作性にも優れる。
【００２８】
また、本発明の少なくとも一つの実施形態は、上記記載のプログラムを格納したコンピュータが読み取り可能な記録媒体からなる。
【００２９】
このような構成によれば、上記プログラムを記録媒体に格納した状態で頒布することが出来る。
【発明の効果】
【００３０】
本発明の少なくとも一つの実施形態によれば、３以上の表示項目に関する数値データを同時にグラフ表示可能な、視認性及び操作性に優れたメンテナンス用モニタ装置を提供することが出来る。
【図面の簡単な説明】
【００３１】
【図１】本発明の一実施形態にかかるメンテナンス用モニタ装置の構成要素を示したブロック図である。
【図２】本実施形態のメンテナンス用モニタ装置におけるモニタ画面を示した図である。
【図３】本実施形態のメンテナンス用モニタ装置におけるモニタ画面を示した図であって、図２から目盛軸が切り替えられたモニタ画面を示した図である。
【図４】本実施形態のメンテナンス用モニタ装置において、他軸に表示する目盛軸を切り替える際の作動フローを示したフロー図である。
【図５】従来のモニタ装置によって表示されるモニタ画面を示した図である。
【発明を実施するための形態】
【００３２】
以下、本発明の実施形態について、図面に基づいて詳細に説明する。
ただし、本発明の範囲は以下の実施形態に限定されるものではない。以下の実施形態に記載されている構成部品の寸法、材質、形状、その相対配置などは、本発明の範囲をそれにのみ限定する趣旨ではなく、単なる説明例に過ぎない。
【００３３】
本実施形態のメンテナンス用モニタ装置１は、中央処理装置（ＣＰＵ）、ランダムアクセスメモリ（ＲＡＭ）、リードオンリメモリ（ＲＯＭ）、およびＩ／Ｏインターフェイスなどからなる、例えばマイクロコンピュータとして構成される。そして、メンテナンス対象機器に関する表示項目にかかる数値データを、モニタ画面１０にグラフ表示するように構成される。また、本実施形態におけるメンテナンス対象機器は、例えばフォークリフト等の産業用車両に搭載されるディーゼルエンジン１４であるものとする。
【００３４】
図１は、本発明の一実施形態にかかるメンテナンス用モニタ装置の構成要素を示したブロック図である。図１に示したように、本実施形態のメンテナンス用モニタ装置１は、リスト表示手段２、数値データ表示手段３、表示項目選択手段４、他軸表示手段５、表示項目認識手段６、及び位置情報算出手段７を備えている。
【００３５】
図２及び図３は、本実施形態のメンテナンス用モニタ装置におけるモニタ画面を示した図である。
図２及び図３に示したように、モニタ画面１０の左側には、表示項目２２のリストが表示されるリスト表示部２０が形成されている。また、モニタ画面１０の右側には、３以上の表示項目２２にかかる数値データを同時にグラフ表示するグラフ表示部３０が形成されている。
【００３６】
リスト表示手段２は、上述したモニタ画面１０のリスト表示部２０に、ディーゼルエンジン１４の全ての表示項目２２（表示項目２２ａ〜２２ｓ）のリストを表示可能に構成されている。また、リスト表示部２０には、各表示項目２２ａ〜２２ｓに対応して、グラフ線３４ａ〜３４ｓと同じ線の種類及び線の色からなる凡例線２４ａ〜２４ｓが表示されている。これにより、グラフ表示部３０に表示されるグラフ線３４ａ〜３４ｓと、表示項目２２ａ〜２２ｓとの対応関係が認識可能となっている。
【００３７】
数値データ表示手段３は、エンジンコントロールユニット（ＥＣＵ）１４ａから送られて来た表示項目２２にかかる数値データを、グラフ線３４としてモニタ画面１０のグラフ表示部３０に表示可能に構成されている。グラフ線３４は、一軸（例えばＸ軸）が時間軸３２、他軸（例えばＹ軸）が例えばエンジン回転数２２ａに対応する目盛軸３３からなるグラフ軸に合わせて表示される。
【００３８】
また、数値データ表示手段３は、後述する表示項目選択手段４によって選択された表示項目２２（選択表示項目）に対応するグラフ線３４だけを表示するように構成してもよい。例えば図２では、選択された表示項目２２に対応するグラフ線３４として、エンジン回転数２２ａに対応するグラフ線３４ａ、アクセル開度２２ｂに対応するグラフ線３４ｂ、冷却水温２２ｃに対応するグラフ線３４ｃなどが表示されている。このように構成すれば、監視が必要な表示項目２２だけを選択出来るため、グラフの視認性が向上する。
【００３９】
また、数値データ表示手段３は、後述する表示項目認識手段６で認識された表示項目２２にかかる数値データを、他の数値データとは異なるグラフ線でグラフ表示可能に構成されてもよい。例えば図２では、表示項目認識手段６で認識されたエンジン回転数２２ａに対応するグラフ線３４ａだけが、他のグラフ線３４よりも太線に表示されている。また図３では、表示項目認識手段６で認識された冷却水温２２ｃに対応するグラフ線３４ｃだけが、他のグラフ線３４よりも太線に表示されている。このような構成によれば、表示される目盛軸３３に対応する数値データだけを、他の数値データとは異なるグラフ線（線の種類、線の太さ、線の色など）で目立つようにグラフ表示することで、グラフの視認性を向上させることが出来る。
【００４０】
表示項目選択手段４は、上述した表示項目２２のリストの中から、３以上の表示項目を任意に選択可能に構成されている。具体的には、リスト表示部２０の左側には、表示項目２２ａ〜２２ｓに対応してチェックボックス２６ａ〜２６ｓが表示されており、該チェックボックス２６にチェックマークを付すことで、３以上の表示項目２２が任意に選択されるようになっている。
【００４１】
他軸表示手段５は、上述したグラフ表示部３０に表示されるグラフ軸の他軸として、使用者によって選択される１つの表示項目２２に対応する目盛軸３３だけを表示するように構成されている。例えば図２では、エンジン回転数２２ａに対応する目盛軸３３だけを表示している。また図３では、冷却水温２２ｃに対応する目盛軸３３だけを表示している。ここで目盛軸３３とは、軸スケールを把握可能なように、少なくとも１つ以上の目盛値３３ａ及び単位３３ｂを含み、好ましくは、目盛値３３ａに対応して表示される目盛ライン３３ｃと、表示されている表示項目２２の項目名称３３ｄを含む。
【００４２】
また、他軸表示手段５は、後述する表示項目認識手段６で認識される表示項目２２に関わらず、目盛軸３３の表示幅３３ｅを一定とするように構成されていてもよい。例えば図２に示したエンジン回転数２２ａに対応する目盛軸３３の表示幅３３ｅと、図３に示した冷却水温２２ｃに対応する目盛軸３３の表示幅３３ｅは、同じ幅となっている。このような構成によれば、他軸に表示する目盛軸を３３切り替えた際も、目盛軸３３の表示幅は一定に保たれるため、目盛軸３３を切り替える時のグラフの視認性を向上させることが出来る。
【００４３】
表示項目認識手段６は、モニタ画面１０に表示されているカーソル２８の位置情報だけに基づいて、カーソル２８が指し示す表示項目２２を認識可能に構成されている。具体的には、使用者のマウス操作によってカーソル２８がモニタ画面１０を移動し、そのカーソル２８の位置がリスト表示部２０に表示されている表示項目２２の１つと重なった場合に、その他にクリック等の特別な操作がなくても、直ちにカーソル２８がその１つの表示項目２２を指し示すものと認識する。そして、認識した１つの表示項目２２を、上述した他軸表示手段５に送信するように構成されている。
【００４４】
また、表示項目認識手段６は、表示項目選択手段４によって選択された表示項目２２だけを認識するように構成してもよい。本実施形態のメンテナンス用モニタ装置１は、上述したように、カーソル２８の位置情報だけに基づいて他軸に表示する目盛軸３３を変更するように構成されているため、カーソル２８の位置が少し移動しただけでも目盛軸３３の表示が変更されてしまう。よって、表示項目認識手段６が、表示項目選択手段４によって選択された表示項目２２だけを認識するように構成することで、マウス１２の操作の誤りによって他軸に意図しない目盛軸が表示されてしまう頻度を減らすことが出来、操作性が向上する。
【００４５】
図２では、カーソル２８がエンジン回転数２２ａと重なっている状態を示している。また図３では、カーソル２８が冷却水温２２ｃと重なっている状態を示している。この際、図２に示したエンジン回転数２２ａや、図３に示した冷却水温２２ｃのように、表示項目認識手段６が認識した１つの表示項目２２だけを例えば太字で強調して表示するなど、他の表示項目２２との区別を容易にするために、他の表示項目２２と異なる方法で表示するようにしてもよい。
【００４６】
位置情報算出手段７は、モニタ画面１０に表示されるカーソル２８の位置情報を算出可能に構成されている。そして、算出したカーソル２８の位置情報を、上述した表示項目認識手段６へと送信するように構成されている。
【００４７】
図４は、本実施形態のメンテナンス用モニタ装置において、他軸に表示する目盛軸を切り替える際の作動フローを示したフロー図である。使用者がマウス１２を操作し、カーソル２８がモニタ画面１０上を移動すると（Ｓ１）、上述した位置情報算出手段７において、カーソル２８の位置情報が算出される（Ｓ２）。そして、表示項目認識手段６において、算出された位置情報を基に、そのカーソル２８の位置がリスト表示部２０に表示されている表示項目２２の１つと重なっているか（Ｓ３）、重なっている表示項目２２は上述した表示項目選択手段４において選択された表示項目２２か（Ｓ４）、を判定する。
【００４８】
そして、上記Ｓ３、Ｓ４において共にＹｅｓと判定された場合は、表示項目認識手段６において、カーソル２８が指し示す１つの表示項目２２を認識する（Ｓ５）。そして、他軸表示手段５は、表示項目認識手段６において認識された１つの表示項目２２に対応する目盛軸３３をグラフ軸の他軸として表示する（Ｓ６）。
【００４９】
本実施形態のメンテナンス用モニタ装置１は、上述した作動フローをカーソル２８が移動するたびに実施するように構成されている。この際、カーソル２８が移動したとしても、カーソル２８の位置がリスト表示部２０に表示されている表示項目２２の１つと新たに重ならない限りは、直近に認識された１つの表示項目２２に対応する目盛軸３３をグラフ軸の他軸として表示し続けるように構成されている。
【００５０】
このようなメンテナンス用モニタ装置１によれば、グラフ軸の他軸に１つの目盛軸３３だけを表示するため、グラフの視認性に優れている。また、カーソル２８の位置情報だけに基づいて、カーソル２８が指し示す表示項目２２を認識するため、カーソル２８の位置をモニタ画面１０上の任意の表示項目２２に重ねるだけの簡単な操作で、該表示項目２２に対応する目盛軸３３を表示することができ、操作性にも優れる。
【００５１】
以上、本発明の好ましい形態について説明したが、本発明は上記の形態に限定されるものではなく、本発明の目的を逸脱しない範囲での種々の変更が可能である。
【００５２】
例えば、上述した実施形態では、その表示項目認識手段６は、モニタ画面１０に表示されている表示項目２２のリストの中から、カーソル２８が指し示す１つの表示項目２２を認識するように構成されていた。しかしながら本発明の表示項目認識手段６はこれに限定されず、上記構成に代えて、又は上記構成に加えて、モニタ画面１０にグラフ表示されている複数のグラフ線３４の中から、カーソル２８が指し示す１つのグラフ線３４に対応する１つの表示項目２２を、カーソル２８が指し示す表示項目２２として認識するように構成されていても良いものである。
【００５３】
また例えば、上述した実施形態のメンテナンス用モニタ装置１は、例えばノート型パソコンなどからなるマイクロコンピュータとして構成されていた。
しかしながら、本発明の少なくとも一つの実施形態によれば、上述したリスト表示手段２、数値データ表示手段３、表示項目選択手段４、他軸表示手段５、表示項目認識手段６、及び位置情報算出手段７が行っていた各種の処理をコンピュータに実行させるプログラムとして構成されてもよいものである。
【００５４】
また、本発明の少なくとも一つの実施形態では、上記記載のプログラムを格納したコンピュータが読み取り可能な記録媒体として構成されていてもよい。本発明をこのように構成すれば、上記プログラムを記録媒体に格納した状態で頒布することが出来る。
【００５５】
また、上述した実施形態では、メンテナンス対象機器が、フォークリフト等の産業用車両に搭載されたディーゼルエンジン１４である場合を例に説明したが、本発明はこれに限定されない。しかしながら、本実施形態のメンテナンス用モニタ装置１は、表示項目２２が多く、且つ保守点検時に３以上の表示項目を同時に視認したり、表示項目２２を頻繁に切り替えたりする作業が行われる、例えばフォークリフトなどの産業用車両に搭載されるディーゼルエンジン１４のメンテナンス用モニタ装置１として、特に好適に用いられる。
【産業上の利用可能性】
【００５６】
本発明の少なくとも一つの実施形態は、３以上の表示項目に関する数値データを同時にグラフ表示可能なメンテナンス用モニタ装置として、特に、産業用車両に搭載されるディーゼルエンジンの保守点検時において好適に用いられる。
【符号の説明】
【００５７】
１          メンテナンス用モニタ装置
２          リスト表示手段
３          数値データ表示手段
４          表示項目選択手段
５          他軸表示手段
６          表示項目認識手段
７          位置情報算出手段
１０        モニタ画面
１２        マウス
１４        ディーゼルエンジン
２０        リスト表示部
２２        表示項目
２４        凡例線
２６        チェックボックス、
２８        カーソル
３０        グラフ表示部
３２        時間軸
３３        目盛軸
３３ａ      目盛値
３３ｂ      単位
３３ｃ      目盛ライン
３３ｄ      項目名称
３３ｅ      表示幅
３４        グラフ線
【図１】
2014096009.tif 000003
【図２】
2014096009.tif 000004
【図３】
2014096009.tif 000005
【図４】
2014096009.tif 000006
【図５】
2014096009.tif 000007